(57)【要約】【課題】泡吐出容器を正立させた正立姿勢のみならず、前方に傾けた傾倒姿勢でも内容液を泡状に吐出することが可能な泡吐出容器を提供する。【解決手段】容器本体１０と、口部１１に装着され、前方に延びるノズル２１を有するキャップ２０と、キャップ２０に保持され、ノズル２１の内部に連なる混合室４２を区画すると共に、混合室４２を収容空間Ｓに連ねる空気導入孔４３及び液導入孔４４を有するシリンダー４０と、ノズル２１の内部を収容空間Ｓに連ねる戻し流路３１を、胴部１２を圧搾して吐出口２２から内容液を泡状に吐出する際に閉塞し、復元時に開放する逆止弁５０と、を備え、空気導入孔４３は、胴部１２の軸線Ｏ１よりも後方のみに配置されていることを特徴とする。【選択図】図１
2020196475.tif 000002
【特許請求の範囲】
【請求項１】
可撓性を有する胴部を備え、内部が内容液の収容空間となる容器本体と、
前記容器本体の口部に装着され、前方に延びる筒状のノズルを有するキャップと、
前記キャップに保持され、前記ノズルの内部に連なる混合室を区画すると共に、前記混合室を前記収容空間に連ねる空気導入孔及び液導入孔を有するシリンダーと、
前記シリンダーの外部に設けられるとともに前記ノズルの内部を前記収容空間に連ねる戻し流路を、前記胴部を圧搾して前記ノズルの吐出口から内容液を泡状に吐出する際に閉塞し、前記胴部の復元時に開放する逆止弁と、を備え、
前記空気導入孔は、前記胴部の軸線よりも後方のみに配置されていることを特徴とする泡吐出容器。
【請求項２】
前記液導入孔にパイプが接続され、
前記パイプの下端開口は、前記胴部の軸線よりも前方に配置されている、請求項１に記載の泡吐出容器。
【請求項３】
前記空気導入孔は、前記液導入孔よりも後方のみに配置されている、請求項１又は２に記載の泡吐出容器。
【請求項４】
前記シリンダーは、前記シリンダーの軸線が前記胴部の軸線に対して前方に傾斜するように配置されている、請求項１〜３の何れか一項に記載の泡吐出容器。
【請求項５】
前記シリンダーは、前記シリンダーの軸線が前記胴部の軸線よりも後方に位置するように配置されている、請求項１〜３の何れか一項に記載の泡吐出容器。
【請求項６】
前記泡吐出容器を正立姿勢又は傾倒姿勢とした際には前記空気導入孔を開放し、前記泡吐出容器を倒立姿勢とした際には前記空気導入孔を閉塞する第１弁構造と、
前記泡吐出容器を正立姿勢又は傾倒姿勢とした際には液導入孔を開放し、前記泡吐出容器を倒立姿勢とした際には前記液導入孔を閉塞する第２弁構造と、を備える、請求項１〜５の何れか一項に記載の泡吐出容器。
【発明の詳細な説明】
【技術分野】
【０００１】
本発明は、泡吐出容器に関する。
【背景技術】
【０００２】
従来、シャンプー、ボディソープ、ハンドソープ、洗顔料等の各種液体洗浄剤や整髪剤等の内容液を収容する容器として、容器本体の胴部を圧搾（スクイズ）することにより、容器本体内に収容された内容液を空気と混合してノズルから泡状に吐出させる泡吐出容器が使用されている。
【０００３】
このような泡吐出容器では、内容液の流路中に内容液を空気と混合させる合流空間を設けるとともに、合流空間の下流に例えばメッシュ等からなる発泡部材を設けている。そして、容器本体の胴部を圧搾することで、内容液と空気を合流空間で混合し、発泡部材を通過させて発泡させ、ノズルから泡状に吐出するようにしている。
【０００４】
例えば特許文献１には、口部、胴部、及び底部を有し、その内側を内容液の収容空間とする容器本体と、該容器本体の口部にベースキャップを介して吊り下げ保持され、胴部の圧搾に伴って吸引管から導入された内容液と空気導入孔から導入された空気とを混合、発泡させる合流空間を区画形成するシリンダーと、前方に向けて延在し、発泡させた内容液を吐出するノズルとを備える泡吐出容器が開示されている。
【先行技術文献】
【特許文献】
【０００５】
【特許文献１】特開２０１３−１１２４１１号公報
【発明の概要】
【発明が解決しようとする課題】
【０００６】
ところで、上記のような泡吐出容器は、容器本体の中心軸線が略鉛直方向となるように泡吐出容器を正立させた正立姿勢で使用することを前提としている。そのため、例えば、ノズルが下向きとなるように泡吐出容器を前方に傾けた横向きの姿勢（傾倒姿勢）で胴部を圧搾した際に、シリンダーに設けられた空気導入孔に内容液が浸入する虞がある。その場合、上記合流空間において内容液に空気を適度に混合することができなくなるため内容液が発泡せず、ノズルから液状のまま吐出されてしまうという問題がある。
【０００７】
それゆえ本発明は、泡吐出容器を正立させた正立姿勢のみならず、前方に傾けた傾倒姿勢でも内容液を泡状に吐出することが可能な泡吐出容器を提供することを目的とする。
【課題を解決するための手段】
【０００８】
本発明は、上記課題を解決するためになされたものであり、本発明の泡吐出容器は、
可撓性を有する胴部を備え、内部が内容液の収容空間となる容器本体と、
前記容器本体の口部に装着され、前方に延びる筒状のノズルを有するキャップと、
前記キャップに保持され、前記ノズルの内部に連なる混合室を区画すると共に、前記混合室を前記収容空間に連ねる空気導入孔及び液導入孔を有するシリンダーと、
前記シリンダーの外部に設けられるとともに前記ノズルの内部を前記収容空間に連ねる戻し流路を、前記胴部を圧搾して前記ノズルの吐出口から内容液を泡状に吐出する際に閉塞し、前記胴部の復元時に開放する逆止弁と、を備え、
前記空気導入孔は、前記胴部の軸線よりも後方のみに配置されていることを特徴とするものである。
【０００９】
なお、本発明の泡吐出容器にあっては、前記液導入孔にパイプが接続され、
前記パイプの下端開口は、前記胴部の軸線よりも前方に配置されていることが好ましい。
【００１０】
また、本発明の泡吐出容器にあっては、前記空気導入孔は、前記液導入孔よりも後方のみに配置されていることが好ましい。
【００１１】
また、本発明の泡吐出容器にあっては、前記シリンダーは、前記シリンダーの軸線が前記胴部の軸線に対して前方に傾斜するように配置されていることが好ましい。
【００１２】
また、本発明の泡吐出容器にあっては、前記シリンダーは、前記シリンダーの軸線が前記胴部の軸線よりも後方に位置するように配置されていることが好ましい。
【００１３】
また、本発明の泡吐出容器にあっては、前記泡吐出容器を正立姿勢又は傾倒姿勢とした際には前記空気導入孔を開放し、前記泡吐出容器を倒立姿勢とした際には前記空気導入孔を閉塞する第１弁構造と、
前記泡吐出容器を正立姿勢又は傾倒姿勢とした際には液導入孔を開放し、前記泡吐出容器を倒立姿勢とした際には前記液導入孔を閉塞する第２弁構造と、を備えることが好ましい。
【発明の効果】
【００１４】
本発明によれば、泡吐出容器を正立させた正立姿勢のみならず、前方に傾けた傾倒姿勢でも内容液を泡状に吐出することが可能な泡吐出容器を提供することができる。
【図面の簡単な説明】
【００１５】
【図１】本発明の一実施形態としての泡吐出容器を示す側面視での断面図である。
【図２】図１に示す泡吐出容器の部分拡大図である。
【図３】図１の泡吐出容器を前方に傾けた傾倒姿勢で内容液を吐出する様子を示す、側面視での断面図である。
【図４】本発明の他の実施形態としての泡吐出容器を示す側面視での断面図である。
【図５】図４の泡吐出容器を傾けた傾倒姿勢で内容液を吐出する様子を示す、側面視での断面図である。
【図６】図４の泡吐出容器を倒立姿勢とした状態を示す、側面視での断面図である。
【発明を実施するための形態】
【００１６】
以下、図面を参照し、本発明の一実施形態について説明する。本実施形態に係る泡吐出容器１は、流動性を有する内容液を収容するとともに、該内容液を泡状に吐出するものである。
【００１７】
図１に示すように、本実施形態の泡吐出容器１は、容器本体１０と、キャップ２０と、シリンダー４０と、逆止弁５０と、を備えている。図２は、図１の部分拡大図である。
【００１８】
容器本体１０は、例えば合成樹脂製であり、口部１１、胴部１２及び底部１３を備え、内部に内容液の収容空間Ｓを区画している。胴部１２は、可撓性を有しており、収容空間Ｓの周囲を囲んでいる。口部１１は、胴部１２の一端に連続して形成されており、底部１３は、胴部１２の他端に連続して形成されている。なお、以下の説明で記載する「上」側とは、底部１３に対して口部１１が位置する側を意味し、「下」側とはその反対側（口部１１に対して底部１３が位置する側）を意味する。また、「前」側とはノズル２１の基端部に対して先端開口２２が位置する側を意味し、「後」側とは、その反対側（ノズル２１の先端開口２２に対して基端部が位置する側）を意味する。
【００１９】
図１に示すように、本例の容器本体１０は、胴部１２に対して口部１１が前方に傾斜した形状となっている。図１に示す第１の軸線Ｏ１は、胴部１２の軸線である。第１の軸線Ｏ１は、底部１３の中心を通り、底部１３の底面に対して垂直に延在している。また、第１の軸線Ｏ１は、後述する胴本体部１２ａの中心軸線に略一致する。図１に示す第２の軸線Ｏ２は、シリンダー４０の軸線であり、口部１１、キャップ２０、シリンダー本体部４０ａ及び孔形成部４１の中心軸線と一致する。
【００２０】
図１に示すように、水平面に底部１３の底面を接地させた泡吐出容器１の正立姿勢において、第１の軸線Ｏ１は鉛直方向に延在している。また、泡吐出容器１の正立姿勢において、第２の軸線Ｏ２は、第１の軸線Ｏ１に対して前方に傾斜しており、第１の軸線Ｏ１との交点Ｐから前方斜め上向きに延在している。
【００２１】
口部１１は、上部を開口させた円筒状の形状を有している。胴部１２は、口部１１の下方に連なる筒状の形状を有している。胴部１２は、底部１３に連なる胴本体部１２ａと、胴本体部１２ａの上方に連なり、上方に向けて徐々に縮径しつつ、前方に向けて湾曲する湾曲部１２ｂと、を有する。湾曲部１２ｂの上端部は口部１１に連結している。この容器本体１０は、可撓性を有する胴部１２を圧搾（スクイズ）することにより収容空間Ｓを減容させ、容器本体１０内（収容空間Ｓ）を加圧することができるようになっている。
【００２２】
容器本体１０の口部１１には、例えば合成樹脂製のキャップ２０が装着されている。キャップ２０は、ノズル２１を備える。ノズル２１は、外周壁２４側の基端部から先端開口２２が形成された先端部まで前方に向けて延在している。ノズル２１は、内容液の吐出口としての先端開口２２と、この先端開口２２に連なる内容液の流路となるノズル内流路２３とを区画している。
【００２３】
図１に示すように、泡吐出容器１を正立姿勢とした状態において、本例のノズル２１は、前方に向けて斜め下向きとなるように配置されている。なお、ノズル２１の形状及び向きは適宜変更可能であり、例えば、前方に向けて斜め上向きであってもよい。
【００２４】
キャップ２０は、容器本体１０の口部１１を取り囲む円筒状の外周壁２４を備える。キャップ２０は、外周壁２４の内周面に設けた雌ねじ部２４ａが口部１１の外周面に設けた雄ねじ部１１ａにねじ結合することにより、容器本体１０の口部１１に装着されている。外周壁２４の内側にはフランジ部２５を介してシール筒部２６が同軸且つ一体に設けられ、このシール筒部２６が口部１１の内側に嵌め込まれることで、キャップ２０と口部１１との嵌合部分がシールされて該部分からの液漏れが防止されるようになっている。
【００２５】
口部１１の根元には小突起１１ｂと大突起１１ｃとが周方向に間隔を空けて設けられ、外周壁２４の下端部には、これらの突起１１ｂ、１１ｃに対応した回り止めリブ２４ｂが設けられている。キャップ２０が口部１１にねじ込まれると、そのねじ込み終了直前に回り止めリブ２４ｂが小突起１１ｂを乗り越えて小突起１１ｂと大突起１１ｃとの間に配置され、これによりキャップ２０は口部１１に対して回り止め保持される。
【００２６】
図示する場合では、キャップ２０を容器本体１０の口部１１にねじ結合により固定するようにしているが、キャップ２０を容器本体１０の口部１１にアンダーカットで固定させる構成とすることもできる。
【００２７】
シール筒部２６はフランジ部２５に対して上方にまで延びており、その上端部には径方向内側に向けて延びる段差部２７が一体に設けられている。この段差部２７の図中下方を向く内面は、平坦且つ環状に形成された下向きの段差面２７ａとなっており、逆止弁５０の弁座として機能する。
【００２８】
段差部２７の内周縁には、ドーム状の頂壁２８が連なっている。頂壁２８にはノズル２１が一体に設けられている。ノズル２１は、筒状であり、第２の軸線Ｏに垂直な平面に対してやや上向きに延在している。ノズル２１の底部には、第２の軸線Ｏに垂直な底壁２９が設けられている。底壁２９には流出入孔３０が設けられており、ノズル内流路２３はこれらの流出入孔３０を介して戻し流路３１と連通している。戻し流路３１は、シリンダー４０の外部に設けられるとともにノズル内流路２３を収容空間Ｓに連ねている。また、底壁２９には、ノズル内流路２３をシリンダー４０の空気と内容液を混合する混合室４２に連通させる泡流出孔３２が設けられている。なお、図示する場合では、泡流出孔３２の後方に流出入孔３０が設けられているが、その個数や形状は種々変更することができる。
【００２９】
また、キャップ２０の底壁２９には、泡流出孔３２を取り囲んで筒状の連結壁３３が一体に垂設されている。連結壁３３は、シリンダー４０のシリンダー本体部４０ａに挿入、嵌合するように構成されていて、これによりシリンダー４０を収容空間Ｓ内に吊り下げ保持するとともに、混合室４２とノズル内流路２３とをつないでいる。連結壁３３の外周側には、底壁２９から一体に垂下するとともに、シリンダー４０の環状フランジ部４０ｂに向けて延びる内部筒状壁３４が設けられている。
【００３０】
シリンダー４０は、シリンダー本体部４０ａが連結壁３３に嵌合することにより、キャップ２０に保持される。シリンダー４０は、例えば合成樹脂材により形成されており、混合室４２を内部に区画する筒状のシリンダー本体部４０ａと、このシリンダー本体部４０ａの上端付近から径方向外側に延在する環状フランジ部４０ｂと、を備えている。
【００３１】
また、シリンダー４０は、キャップ２０のノズル内流路２３に連なる混合室４２を内部に区画すると共に、混合室４２を容器本体１０の収容空間Ｓに連ねる空気導入孔４３及び液導入孔４４を有している。空気導入孔４３は、第１の軸線Ｏ１（胴部１２の軸線）よりも後方のみに配置されている。なお、空気導入孔４３は１つのみに限らず、複数形成されていてもよい。
【００３２】
具体的に、シリンダー４０のシリンダー本体部４０ａの下端部には孔形成部４１が嵌合固定されており、孔形成部４１は、シリンダー本体部４０ａと共に、シリンダー４０の下部側に空気導入孔４３と液導入孔４４とを区画形成する。シリンダー本体部４０ａの外周面には、位置合わせ用の凹部４０ｄが周方向の一部に形成されている。これに対応して、孔形成部４１には、位置合わせ用の突出片４１ａが設けられている。凹部４０ｄに、突出片４１ａを嵌め込むようにすることで、シリンダー本体部４０ａに対して孔形成部４１の周方向の位置合わせを行うことができる。また、キャップ２０の連結壁３３には、周方向の一部に位置合わせ用の凹部３３ａが設けられている。これに対応して、シリンダー本体部４０ａの内周面には、位置合わせ用の凸部４０ｃが設けられており、連結壁３３の凹部３３ａに凸部４０ｃを嵌め込むようにすることで、キャップ２０に対してシリンダー４０の周方向の位置合わせを行うことができる。これにより、空気導入孔４３がノズル２１とは逆側（泡吐出容器１の後側）に配置されるようにすることができる。
【００３３】
本例では、空気導入孔４３が、液導入孔４４よりも後方のみに設けられている。収容空間Ｓ内の空気は空気導入孔４３を通して混合室４２に導入される。
【００３４】
液導入孔４４は、シリンダー４０の中心に位置しており、第２の軸線Ｏ２上に配置されている。液導入孔４４には容器本体１０の底部１３にまで延びる管状のパイプ４５が接続され、当該パイプ４５を介して液導入孔４４は混合室４２を収容空間Ｓに連通させている。したがって、収容空間Ｓ内の内容液はパイプ４５と液導入孔４４とを介して混合室４２に導入される。本例のパイプ４５は、湾曲部４５ａを有し、パイプ４５の下端開口４５ｂ（吸込み口）は、収容空間Ｓにおける底部１３の前端部付近に配置されている。なお、収容空間Ｓから混合室４２に内容液及び空気を導入する構成は、本実施形態の構成に限られるものではなく、容器の形状等に応じて適宜変更することが可能である。
【００３５】
上記のように、収容空間Ｓ内の空気と内容液は、空気導入孔４３と液導入孔４４より、それぞれ異なる通路を通過して混合室４２に流入する。空気導入孔４３から混合室４２への空気の通路は、シリンダー本体部４０ａの内周面と、シリンダー本体部４０ａの径方向内側に挿入配置された孔形成部４１の環状壁４１ｂ（図２参照）の外周面との間に区画形成される。液導入孔４４から混合室４２への内容液の通路は、孔形成部４１の環状壁４１ｂの内側に区画形成される。
【００３６】
また、孔形成部４１には、空気導入孔４３に内容液がより浸入し難くなるように、傘状体４６が一体に設けられているが、この構成に限られるものではなく、傘状体４６を備えない構成とすることも可能である。
【００３７】
シリンダー４０の混合室４２には一対の発泡部材４７が設けられている。これらの発泡部材４７としては、例えば、図示する場合のようにリングの端面にメッシュを固定した構成のものを用いることができる。また、図示する場合では、発泡部材４７は互いのメッシュを逆側に向けた姿勢でシリンダー本体部４０ａの内側に嵌合固定されている。なお、発泡部材４７としてはリングとメッシュを備えた構造のものに限らず、例えば焼結体等の多孔質体やその他の種々の構造のものを、内容液の種類等に応じて選択することができる。また、発泡部材４７の設置個数も内容液の種類等に応じて種々変更することができる。
【００３８】
シリンダー４０の外部には、シリンダー４０の内部を通る流路とは別系統で、ノズル内流路２３を容器本体１０の収容空間Ｓに連ねる戻し流路３１が設けられている。つまり、ノズル内流路２３は、この戻し流路３１を介して容器本体１０の収容空間Ｓに連通している。
【００３９】
戻し流路３１には、弾性材により形成された逆止弁５０が設けられている。逆止弁５０は、容器本体１０の胴部１２を圧搾してノズル２１の先端開口２２から内容液を泡吐出する際に、戻し流路３１を閉塞する一方、胴部１２が復元する際には戻し流路３１を開放する。
【００４０】
この逆止弁５０は、キャップ２０の段差面２７ａを弁座とし、通常はこの段差面２７ａに当接する環状の弁体５１と、弁体５１と一体連結するとともにキャップ２０の内部筒状壁３４に嵌合保持される環状本体部５２と、環状本体部５２の下端から径方向内側に向けて突き出す内向きフランジ５３とを備えている。本実施形態では、段差面２７ａを弁座としているが、キャップ２０の構成によっては、他の部位に設けることもできる。
【００４１】
このような構成により、逆止弁５０は、容器本体１０の収容空間Ｓから戻し流路３１を通したノズル２１（ノズル内流路２３）の側への内容液や空気の流れを阻止するとともに、ノズル２１（ノズル内流路２３）から戻し流路３１を通した容器本体１０の収容空間Ｓの側への内容液や空気の流れを許容するように作動することができる。
【００４２】
次に、泡吐出容器１の使用方法について説明する。先ず、泡吐出容器１は、図１に示す正立姿勢で容器本体１０の胴部１２を圧搾することにより、内容液を泡状に吐出することができる。胴部１２を圧搾すると、収容空間Ｓ内の内容液がパイプ４５と液導入孔４４とを介して混合室４２に導入され、同時に、収容空間Ｓ内の空気が、空気導入孔４３を介して混合室４２に導入される。そして、混合室４２にて空気と混合された内容液は、発泡部材４７を通過することにより発泡し、ノズル内流路２３を通ってノズル２１の先端開口２２から吐出される。
【００４３】
また、本実施形態の泡吐出容器１にあっては、図３に示すように泡吐出容器１を前方に傾けた横向きの姿勢（傾倒姿勢）であっても、正立姿勢の場合と同様に、内容液を泡状に吐出することができる。なお、図３において、泡吐出容器１は、第２の軸線Ｏ２が水平方向に延在する姿勢となっている。図３に示す傾倒姿勢で胴部１２を圧搾すると、収容空間Ｓ内の内容液がパイプ４５と液導入孔４４とを介して混合室４２に導入され、同時に、収容空間Ｓ内の空気が、空気導入孔４３を介して混合室４２に導入され、混合室４２にて空気と混合された内容液が発泡部材４７を通過して泡状となり、ノズル２１の先端開口２２から吐出される。この時、本実施形態の泡吐出容器１にあっては、空気導入孔４３が、第１の軸線Ｏ１（胴部１２の軸線）よりも後方のみに配置されているため、図３に示す傾倒姿勢において、空気導入孔４３が液面よりも鉛直方向の上側に配置されて内容液が空気導入孔４３に浸入し難くなる。これにより、空気導入孔４３から空気を導入することができるので、内容液を所期した通りの泡状に吐出することができる。
【００４４】
なお、上記正立姿勢及び傾倒姿勢の何れの場合も、内容液の吐出後に胴部１２の圧搾が解除されると、胴部１２が元の形状に復元することで収容空間Ｓ内に負圧が発生し、この負圧により逆止弁５０が開き、ノズル内流路２３の内部に残留した内容液が、ノズル２１の先端開口２２から吸引される空気（外気）とともに戻し流路３１を介して容器本体１０の収容空間Ｓの内部に引き込まれる。サックバック機能とも呼ばれるこのような機能により、吐出後にノズル内流路２３の内部に残留した内容液を空気とともに容器本体１０の内部に向けて引き込むことができる。
【００４５】
以上説明したように、本実施形態の泡吐出容器１にあっては、正立姿勢のみならず、泡吐出容器１を前方に傾けた横向きの傾倒姿勢でも内容液を泡状に吐出することが可能となる。
【００４６】
また、本実施形態の泡吐出容器１にあっては、空気導入孔４３を液導入孔４４よりも後方に設けることにより、図３に示す傾倒姿勢において、空気導入孔４３がより鉛直方向上側に位置するようにしている。これにより、図３に示す傾倒姿勢で泡状内容液を吐出する際に、さらに内容液が空気導入孔４３に浸入し難くなる。
【００４７】
また、本実施形態の泡吐出容器１にあっては、パイプ４５の下端開口４５ｂが、第１の軸線Ｏ１（胴部１２の軸線）よりも前方に配置されているため、図３に示す傾倒姿勢において、パイプ４５の下端開口４５ｂが鉛直方向における下方側に配置される。その結果、内容液の残量が少なくなった場合でも、パイプ４５の下端開口４５ｂから内容液を導入することができるので、内容液を最後まで吐出し易くして、残留量を低減することができる。
【００４８】
また、本実施形態の泡吐出容器１にあっては、シリンダー４０の軸線（第２の軸線Ｏ２）が胴部１２の軸線（第１の軸線Ｏ１）に対して前方に傾斜するように配置されている。これにより、図３に示すように、泡吐出容器１を比較的小さく前方に傾けるだけで、ノズル２１を下方に向けることができるので、操作が容易である。また、ノズル２１を下方に向けるために泡吐出容器１を大きく前方に傾ける必要がないので、空気導入孔４３が、鉛直方向上側に配置され易くなり、より確実に、空気導入孔４３への内容液の浸入を防止することができる。
【００４９】
また、本実施形態の泡吐出容器１にあっては、図１に示すように、正立姿勢においてノズル２１が前方に向けて斜め下向きとなるように配置されている。これにより、図３に示すように容器本体１０を比較的小さく傾けるだけで、ノズル２１の先端開口２２を鉛直方向下方に向けることができる。その結果、空気導入孔４３が、より鉛直方向上側に配置され易くなるため、空気導入孔４３への内容液の浸入をさらに確実に防止することができる。
【００５０】
以下、本発明の他の実施形態について説明する。なお、上述した実施形態と基本的な機能が同一である部分は、図中、同一の符号を付して説明を省略する。
【００５１】
図４に示す泡吐出容器２は、容器本体１０の口部１１が胴部１２に対して後方に偏心した形状となっている。すなわち、口部１１の軸線（第２の軸線Ｏ２）は、胴部１２の軸線（第１の軸線Ｏ１）よりも後方に位置している。また、泡吐出容器２の胴部１２は、底部１３に連なる胴本体部１２ａと、胴本体部１２ａの上方に連なり、上方に向けて徐々に縮径する肩部１２ｃと、を有する。肩部１２ｃの上端部は口部１１に連結している。
【００５２】
泡吐出容器２において、胴部１２の軸線としての第１の軸線Ｏ１は、底部１３の中心を通り、底部１３の底面に対して垂直に延在している。また、第１の軸線Ｏ１は胴本体部１２ａの中心軸線に一致している。また、図４に示す第２の軸線Ｏ２は、シリンダー４０の軸線であり、口部１１、キャップ２０、シリンダー本体部４０ａ及び孔形成部４１の中心軸線に一致する。なお、泡吐出容器２において、第２の軸線Ｏ２は、第１の軸線Ｏ１に対して平行となっている。
【００５３】
泡吐出容器２においても、空気導入孔４３は、第１の軸線Ｏ１（胴部１２の軸線）よりも後方のみに配置されている。これにより、図４に示す正立姿勢のみならず、図５に示すように泡吐出容器２を横向きの姿勢（傾倒姿勢）とした場合でも、内容液を泡状に吐出することができる。なお、図５において、泡吐出容器２は、第１の軸線Ｏ１が水平方向に延在する姿勢となっている。泡吐出容器２にあっては、空気導入孔４３が第１の軸線Ｏ１（胴部１２の軸線）よりも後方のみに配置されているため、空気導入孔４３が液面よりも鉛直方向の上側に配置され、内容液が空気導入孔４３に浸入し難くなる。これにより、空気導入孔４３から空気を導入することができるので、内容液を所期した通りの泡状に吐出することができる。
【００５４】
また、泡吐出容器２において、シリンダー４０は、シリンダー４０の軸線（第２の軸線Ｏ２）が、胴部１２の軸線（第１の軸線Ｏ１）よりも後方に位置するように配置されている。このような構成により、シリンダー４０の軸線が胴部１２の軸線に一致する（同軸配置される）場合と比較して、空気導入孔４３がより後方に位置することとなる。その結果、図５に示すような傾倒姿勢において、内容液が空気導入孔４３により浸入し難くなる。
【００５５】
また、本実施形態の泡吐出容器２にあっては、空気導入孔４３が液導入孔４４よりも後方に設けられている。これにより、図５に示す傾倒姿勢において、空気導入孔４３がより鉛直方向上側に配置されるため、傾倒姿勢で泡状内容液を吐出する際に、さらに内容液が空気導入孔４３に浸入し難くなる。
【００５６】
また、本実施形態の泡吐出容器２にあっては、図４に示す正立姿勢においてノズル２１が前方に向けて斜め上向きとなるように構成されている。これによれば、内容液の吐出後にノズル内流路２３に残留した内容液がノズル２１から垂れることを抑制することができる。
【００５７】
ここで、泡吐出容器２は、空気導入孔４３を開閉可能な第１弁構造６０と、液導入孔４４を開閉可能な第２弁構造７０と、を備える。
【００５８】
第１弁構造６０は、嵌合部６１と、導入開口６２と、保持筒部６３と、移動弁体６４とを有する。嵌合部６１は環状であり、パイプ４５の外周側でシリンダー４０の傘状体４６の下端開口を塞ぐように、傘状体４６の下端部に嵌合保持される。導入開口６２は、嵌合部６１に形成された貫通孔である。保持筒部６３は、導入開口６２を取り囲むように嵌合部６１から下方に突出しており、周方向の一部に設けられた切欠き６３ａを通して、導入開口６２と収容空間Ｓとを連通させる。本例の保持筒部６３は、保持筒部６３の中心軸線が第２の軸線Ｏ２と平行に延在するように配置されている。移動弁体６４は球状であり、保持筒部６３の内側で保持筒部６３の軸方向に移動可能に構成されている。移動弁体６４は、保持筒部６３の内側で、自重により鉛直方向下方側に移動するように構成されている。図４に示す正立姿勢、及び図５に示す傾倒姿勢では、移動弁体６４が保持筒部６３の下端部に位置し、切欠き６３ａ及び導入開口６２を通して空気導入孔４３と収容空間Ｓとが連通状態となる。一方で、図６に示す泡吐出容器２の倒立姿勢（口部１１の開口が下向きとなるように第２の軸線Ｏが水平面に対して傾斜する姿勢）では、移動弁体６４が保持筒部６３の上端部まで移動し、当該移動弁体６４によって導入開口６２が閉塞（封止）されるため、空気導入孔４３と収容空間Ｓとが非連通状態となる。
【００５９】
このように、第１弁構造６０は、泡吐出容器２を図４に示す正立姿勢又は図５に示す傾倒姿勢とした際には空気導入孔４３を開放し、また、泡吐出容器２を図６に示す倒立姿勢とした際には空気導入孔４３を閉塞するように構成されている。
【００６０】
第２弁構造７０は、嵌合部７１と、導入開口７２と、保持筒部７３と、移動弁体７４とを有する。嵌合部７１は環状であり、パイプ４５の下端開口４５ｂを外側から取り囲むようにパイプ４５の下端部に嵌合保持される。導入開口７２は、嵌合部７１に形成された貫通孔である。保持筒部７３は、嵌合部７１に連なり、周方向の一部に設けられた切欠き７３ａを通して、導入開口７２と収容空間Ｓとを連通させる。本例の保持筒部７３は、保持筒部７３の中心軸線がパイプ４５の下端部の中心軸線と一致するように配置されている。移動弁体７４は球状であり、保持筒部７３の内側で保持筒部７３の軸方向に移動可能に構成されている。移動弁体７４は、保持筒部７３の内側で、自重により下方へ移動するように構成されている。図４に示す正立姿勢及び図５に示す傾倒姿勢では、移動弁体７４が保持筒部７３の下端部に位置し、切欠き７３ａ及び導入開口７２を通して液導入孔４４と収容空間Ｓとが連通状態となる。一方で、図６に示す泡吐出容器２の倒立姿勢では、移動弁体７４が保持筒部７３の上端部まで移動し、当該移動弁体７４によって導入開口７２が閉塞（封止）されるため、液導入孔４４と収容空間Ｓとが非連通状態となる。
【００６１】
このように、第２弁構造７０は、泡吐出容器２を図４に示す正立姿勢又は図５に示す傾倒姿勢とした際には液導入孔４４を開放し、泡吐出容器２を図６に示す倒立姿勢とした際には液導入孔４４を閉塞するように構成されている。なお、上記の移動弁体６４、７４の形状は球体に限られず、適宜変更可能である。
【００６２】
以上説明したように、本実施形態の泡吐出容器２を図６に示す倒立姿勢とした場合には、第１弁構造６０によって空気導入孔４３が閉塞され、第２弁構造７０によって液導入孔４４が閉塞されるため、内容液の吐出が抑制される。このように、本実施形態の泡吐出容器２にあっては、第１弁構造６０及び第２弁構造７０を設けたことにより、倒立姿勢での内容液の吐出を抑制することが可能となる。その結果、図４に示す正立姿勢又は図５に示す傾倒姿勢で内容液の吐出が行われるため、より確実に泡吐出容器２から泡状の内容液を吐出させることが可能となる。
【００６３】
なお、本発明の技術的範囲は前記実施の形態に限定されるものではなく、本発明の趣旨を逸脱しない範囲において種々の変更を加えることが可能である。例えば、図１〜３に示す泡吐出容器１に、図４〜６の泡吐出容器２に設けた、空気導入孔４３を開閉可能な第１弁構造６０と、液導入孔４４を開閉可能な第２弁構造７０と、を設けてもよい。
【符号の説明】
【００６４】
１：泡吐出容器
１０：容器本体
１１：口部
１１ａ：雄ねじ部
１１ｂ：小突起
１１ｃ：大突起
１２：胴部
１２ａ：胴本体部
１２ｂ：湾曲部
１２ｃ：肩部
１３：底部
２０：キャップ
２１：ノズル
２２：先端開口（吐出口）
２３：ノズル内流路
２４：外周壁
２４ａ：雌ねじ部
２４ｂ：リブ
２５：フランジ部
２６：シール筒部
２７：段差部
２７ａ：段差面
２８：頂壁
２９：底壁
３０：流出入孔
３１：戻し流路
３２：泡流出孔
３３：連結壁
３３ａ：位置合わせ用の凹部
３４：内部筒状壁
４０：シリンダー
４０ａ：シリンダー本体部
４０ｂ：環状フランジ部
４０ｃ：位置合わせ用の凸部
４０ｃ：位置合わせ用の凹部
４１：孔形成部
４１ａ：突出片
４１ｂ：環状壁
４２：混合室
４３：空気導入孔
４４：液導入孔
４５：パイプ
４５ａ：湾曲部
４５ｂ：下端開口
４６：傘状体
４７：発泡部材
５０：逆止弁
５１：弁体
５２：環状本体部
５３：内向きフランジ
６０：第１弁構造
６１：嵌合部
６２：導入開口
６３：保持筒部
６３ａ：切欠き
６４：移動弁体
７０：第２弁構造
７１：嵌合部
７２：導入開口
７３：保持筒部
７３ａ：切欠き
７４：移動弁体
Ｏ１：第１の軸線（胴部の軸線）
Ｏ２：第２の軸線（シリンダーの軸線）
Ｓ：収容空間
【図１】
2020196475.tif 000003
【図２】
2020196475.tif 000004
【図３】
2020196475.tif 000005
【図４】
2020196475.tif 000006
【図５】
2020196475.tif 000007
【図６】
2020196475.tif 000008